(57)【要約】【課題】乳房を撮影する際に被検体を仰臥位にすることが可能であって、作業効率を向上させる。【解決手段】静磁場空間１１内の被検体ＳＵの乳房からの磁気共鳴信号を受信する受信コイル２４１を、ブラジャー１４１において被検体ＳＵの乳房を収容する第１カップ４０１ａと第２カップ４０１ｂとのそれぞれに設ける。【選択図】図１
2006325972.tif 000002
【特許請求の範囲】
【請求項１】
静磁場空間内の被検体の乳房からの磁気共鳴信号を受信するコイルを有するＲＦ受信コイル装置であって、
前記被検体の乳房を収容するカップと、
前記カップを前記被検体に固定するカップ固定部と
を含むブラジャーを有し、
前記コイルが前記カップ部に設けられている
ＲＦ受信コイル装置。
【請求項２】
前記カップは、前記被検体の乳房のトップ側とアンダー側との間において伸縮するように形成されている
請求項１に記載のＲＦ受信コイル装置。
【請求項３】
前記カップは、
前記被検体の乳房のトップ側を覆う第１カバー部材と、
前記被検体の乳房のアンダー側を覆う第２カバー部材と、
前記第１カバー部材と前記第２カバー部材とを連結するカバー連結部材と
を有し、
前記カバー連結部材は、前記乳房のトップ側とアンダー側との間において複数の異なる長さに固定可能なように伸縮する
請求項２に記載のＲＦ受信コイル装置。
【請求項４】
前記カバー連結部材は、蛇腹機構を含み、前記蛇腹機構が前記被検体の乳房のトップ側とアンダー側との間において伸縮する
請求項３に記載のＲＦ受信コイル装置。
【請求項５】
前記コイルは、第１コイルと、第２コイルとを有し、
前記第１コイルが前記乳房のトップ側をカバーするように前記第１カバー部材に設けられ、
前記第２コイルが前記乳房のアンダー側の周囲を囲うように前記第２カバー部材に設けられている
請求項３または４に記載のＲＦ受信コイル装置。
【請求項６】
前記カップ固定部は、
前記カップに連結しており、前記被検体の胴部に巻かれることによって前記カップを前記被検体に固定する胴ベルト
を有する
請求項１から５のいずれかに記載のＲＦ受信コイル装置。
【請求項７】
前記カップ固定部は、
前記胴ベルトの両端部を連結する胴ベルト連結部材
を有し、
前記胴ベルト連結部材は、前記胴ベルトを複数の異なる長さで固定可能なように形成されている
請求項６に記載のＲＦ受信コイル装置。
【請求項８】
前記カップ固定部は、
前記カップに連結しており、前記被検体の肩部に巻かれることによって前記カップを前記被検体に固定する肩ベルト
を有する
請求項１から７のいずれかに記載のＲＦ受信コイル装置。
【請求項９】
静磁場空間内の被検体の乳房からの磁気共鳴信号をＲＦ受信コイル部が受信し、前記ＲＦコイルにより受信された前記磁気共鳴信号に基づいて前記乳房の画像を生成する磁気共鳴イメージング装置であって、
前記ＲＦ受信コイル部は、
前記磁気共鳴信号を受信するコイルと、
前記被検体の乳房を収容するカップと、前記カップを前記被検体に固定するカップ固定部とを含むブラジャーと
を有し、
前記コイルが前記カップ部に設けられている
磁気共鳴イメージング装置。
【請求項１０】
前記カップは、前記被検体の乳房のトップ側とアンダー側との間において伸縮するように形成されている
請求項９に記載の磁気共鳴イメージング装置。
【請求項１１】
前記カップは、
前記被検体の乳房のトップ側を覆う第１カバー部材と、
前記被検体の乳房のアンダー側を覆う第２カバー部材と、
前記第１カバー部材と前記第２カバー部材とを連結するカバー連結部材と
を有し、
前記カバー連結部材は、前記乳房のトップ側とアンダー側との間において複数の異なる長さに固定可能なように伸縮する
請求項１０に記載の磁気共鳴イメージング装置。
【請求項１２】
前記カバー連結部材は、蛇腹機構を含み、前記蛇腹機構が前記被検体の乳房のトップ側とアンダー側との間において伸縮する
請求項１１に記載の磁気共鳴イメージング装置。
【請求項１３】
前記コイルは、第１コイルと、第２コイルとを有し、
前記第１コイルが前記乳房のトップ側をカバーするように前記第１カバー部材に設けられ、
前記第２コイルが前記乳房のアンダー側の周囲を囲うように前記第２カバー部材に設けられている
請求項１１または１２に記載の磁気共鳴イメージング装置。
【請求項１４】
前記カップ固定部は、
前記カップに連結しており、前記被検体の胴部に巻かれることによって前記カップを前記被検体に固定する胴ベルト
を有する
請求項９から１３のいずれかに記載の磁気共鳴イメージング装置。
【請求項１５】
前記カップ固定部は、
前記胴ベルトの両端部を連結する胴ベルト連結部材
を有し、
前記胴ベルト連結部材は、前記胴ベルトを複数の異なる長さで固定可能なように形成されている
請求項１４に記載の磁気共鳴イメージング装置。
【請求項１６】
前記カップ固定部は、
前記カップに連結しており、前記被検体の肩部に巻かれることによって前記カップを前記被検体に固定する肩ベルト
を有する
請求項９から１５のいずれかに記載の磁気共鳴イメージング装置。
【発明の詳細な説明】
【技術分野】
【０００１】
本発明は、ＲＦ受信コイル装置および磁気共鳴イメージング装置に関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）装置は、核磁気共鳴（ＮＭＲ：Ｎｕｃｌｅａｒ  Ｍａｇｎｅｔｉｃ  Ｒｅｓｏｎａｎｃｅ）現象を利用して、被検体の断層画像を撮影できる装置として知られている。磁気共鳴イメージング装置は、医療用途、産業用途などの分野において多く利用されている。
【０００３】
磁気共鳴イメージング装置を用いて被検体の断層画像を撮影する際においては、まず、静磁場が形成された撮影空間内に被検体を置き、被検体内のプロトン（ｐｒｏｔｏｎ）におけるスピンの方向を静磁場の方向へ整列させて磁化ベクトルを得た状態にする。その後、ＲＦコイルから共鳴周波数の電磁波を照射することにより、核磁気共鳴現象を発生させてプロトンの磁化ベクトルを変化させる。そして、磁気共鳴イメージング装置は、元の磁化ベクトルに戻るプロトンからの磁気共鳴信号をＲＦコイルで受信し、その受信した磁気共鳴信号に基づいて被検体の断層画像を生成する。
【０００４】
磁気共鳴イメージングにおいては、乳癌の早期発見、早期治療のために、ＭＲマンモグラフィが重用されている。ＭＲマンモグラフィにおいては、被検体は腹臥位でＲＦコイルに乳房を収容し、乳房のスキャンが実施されている（たとえば、特許文献１参照）。
【特許文献１】特開２００４−４１７２９号公報
【発明の開示】
【発明が解決しようとする課題】
【０００５】
このように、ＭＲマンモグラフィでは腹臥位でスキャンが実施されているために、呼吸動作が困難になる場合や、腕がしびれる場合があり、長時間、被検体が腹臥位の状態を維持できず、撮影の際の作業効率を向上させることが困難な場合があった。
【０００６】
また、一般に、乳房を手術する際には被検体を仰臥位にするため、スキャン時と手術時とにおいて被検体の体勢が異なる。このため、乳房の手術時に予め撮影された乳房の画像を観察する際に、手術部位を容易に特定することが困難な場合があり、手術の際の作業効率を向上させることが困難な場合があった。
【０００７】
したがって、本発明の目的は、乳房を撮影する際に被検体を仰臥位にすることが可能であって、作業効率を向上可能なＲＦ受信コイル装置および磁気共鳴イメージング装置を提供することにある。
【課題を解決するための手段】
【０００８】
上記目的の達成のために本発明のＲＦ受信コイル装置は、静磁場空間内の被検体の乳房からの磁気共鳴信号を受信するコイルを有するＲＦ受信コイル装置であって、前記被検体の乳房を収容するカップと、前記カップを前記被検体に固定するカップ固定部とを含むブラジャーを有し、前記コイルが前記カップ部に設けられている。
【０００９】
上記目的の達成のために本発明の磁気共鳴イメージング装置は、静磁場空間内の被検体の乳房からの磁気共鳴信号をＲＦ受信コイル部が受信し、前記ＲＦコイルにより受信された前記磁気共鳴信号に基づいて前記乳房の画像を生成する磁気共鳴イメージング装置であって、前記ＲＦ受信コイル部は、前記磁気共鳴信号を受信するコイルと、前記被検体の乳房を収容するカップと、前記カップを前記被検体に固定するカップ固定部とを含むブラジャーとを有し、前記コイルが前記カップ部に設けられている。
【発明の効果】
【００１０】
本発明によれば、乳房を撮影する際に被検体を仰臥位にすることが可能であって、作業効率を向上可能なＲＦ受信コイル装置および磁気共鳴イメージング装置を提供することができる。
【発明を実施するための最良の形態】
【００１１】
以下より、本発明にかかる実施形態について説明する。
【００１２】
図１は、本発明にかかる実施形態において、磁気共鳴イメージング装置１の構成を示す図である。
【００１３】
図１に示すように、磁気共鳴イメージング装置１は、静磁場マグネット部１２と、勾配コイル部１３と、ＲＦコイル部１４と、ＲＦ駆動部２２と、勾配駆動部２３と、データ収集部２４と、制御部２５と、クレードル２６と、データ処理部３１と、操作部３２と、表示部３３とを有し、静磁場が形成される撮影空間Ｂ内の被検体ＳＵに電磁波を照射して、その被検体ＳＵからの磁気共鳴信号を得るスキャンを実施し、このスキャンにより得られた磁気共鳴信号に基づいて、被検体ＳＵの画像を生成する。
【００１４】
本実施形態の磁気共鳴イメージング装置１の各構成要素について、順次、説明する。
【００１５】
静磁場マグネット部１２は、たとえば、撮影空間Ｂを挟む一対の永久磁石を含み、被検体ＳＵが収容される撮影空間Ｂに静磁場を形成する。ここでは、静磁場マグネット部１２は、たとえば、一対の永久磁石が互いに向かい合っている鉛直方向Ｚに静磁場を形成する。なお、静磁場マグネット部１２においては、永久磁石のほか、超伝導磁石などの磁石を含むように構成されていてもよい。
【００１６】
勾配コイル部１３は、ＲＦコイル部１４が受信する磁気共鳴信号に位置情報を付加するために、静磁場が形成された撮影空間Ｂに勾配磁場を形成する。ここでは、勾配コイル部１３は、互いに直交した３軸方向へ勾配する勾配磁場を発生するように３系統の勾配コイルを含み、撮影条件に応じて、周波数エンコード方向と位相エンコード方向とスライス選択方向とのそれぞれに勾配磁場を形成する。具体的には、勾配コイル部１３は、被検体ＳＵのスライス選択方向に勾配磁場を印加し、ＲＦコイル部１４がＲＦパルスを送信することによって励起させる被検体ＳＵのスライスを選択する。また、勾配コイル１３は、被検体ＳＵの位相エンコード方向に勾配磁場を印加し、ＲＦパルスにより励起されたスライスからの磁気共鳴信号を位相エンコードする。そして、勾配コイル部１３は、被検体ＳＵの周波数エンコード方向に勾配磁場を印加し、ＲＦパルスにより励起されたスライスからの磁気共鳴信号を周波数エンコードする。
【００１７】
ＲＦコイル部１４は、静磁場マグネット部１２によって静磁場が形成される撮影空間Ｂ内において、ＲＦ送信コイル部１４ａからＲＦパルスを被検体ＳＵに送信して高周波磁場を形成することによって、被検体ＳＵの撮影領域におけるプロトンのスピンを励起する。そして、ＲＦコイル部１４は、その励起された被検体ＳＵ内のプロトンから発生する電磁波を磁気共鳴信号としてＲＦ受信コイル部１４ｂで受信する。本実施形態においては、被検体ＳＵの乳房Ｂからの磁気共鳴信号を受信する。ＲＦ受信コイル部１４ｂの詳細については後述する。
【００１８】
ＲＦ駆動部２２は、撮影空間Ｂ内にＲＦパルスを送信させて高周波磁場を形成するために、ＲＦコイル部１４を駆動させる。ＲＦ駆動部２２は、制御部２５からの制御信号に基づいて、ゲート変調器を用いてＲＦ発振器からの信号を所定のタイミングおよび所定の包絡線の信号に変調した後に、そのゲート変調器により変調された信号を、ＲＦ電力増幅器によって増幅してＲＦコイル部１４に出力し、ＲＦパルスを送信させる。
【００１９】
勾配駆動部２３は、制御部２５からの制御信号に基づいて、勾配パルスを勾配コイル部１３に印加して駆動させ、静磁場が形成されている撮影空間Ｂ内に勾配磁場を発生させる。勾配駆動部２３は、３系統の勾配コイル部１３に対応して３系統の駆動回路（図示なし）を有する。
【００２０】
データ収集部２４は、制御部２５からの制御信号に基づいて、ＲＦコイル部１４が受信する磁気共鳴信号を収集してデータ処理部３１に出力する。データ収集部２４は、位相エンコードと周波数エンコードとが施された磁気共鳴信号をｋ空間に対応するように収集する。ここでは、データ収集部２４は、ＲＦコイル部１４が受信する磁気共鳴信号をＲＦ駆動部２２のＲＦ発振器の出力を参照信号として位相検波器が位相検波する。その後、Ａ／Ｄ変換器を用いて、このアナログ信号である磁気共鳴信号をデジタル信号に変換する。そして、データ収集部２４は、この磁気共鳴信号をメモリに記憶した後に、データ処理部３１に出力する。
【００２１】
制御部２５は、コンピュータと、コンピュータを用いて所定のスキャンに対応する動作を各部に実行させるプログラムとを有する。そして、制御部２５は、操作部３２からデータ処理部３１を介して入力される操作信号に基づいて、ＲＦ駆動部２２と勾配駆動部２３とデータ収集部２４とのそれぞれに、所定のスキャンを実行させる制御信号を出力し制御を行う。
【００２２】
クレードル２６は、図１に示すように、被検体ＳＵを載置するテーブルを有する。クレードル部２６は、制御部２５からの制御信号に基づいて、撮影空間Ｂの内部と外部との間でテーブルに載置された被検体ＳＵを移動する。たとえば、円柱形状の撮影空間Ｂの円中心軸方向に沿って被検体ＳＵを移動する。
【００２３】
データ処理部３１は、コンピュータと、そのコンピュータを用いて所定のデータ処理を実行するプログラムとを有する。データ処理部３１は、操作部３２に接続されており、操作部３２からの操作信号が入力される。そして、データ処理部３１は、制御部２５に接続されており、オペレータによって操作部３２に入力される操作信号を制御部２５に出力する。また、データ処理部３１は、データ収集部２４に接続されており、データ収集部２４により収集された磁気共鳴信号を取得し、その取得した磁気共鳴信号に対して画像処理を行って、被検体ＳＵのスライスについての画像を生成する。たとえば、データ処理部３１は、デジタル信号に変換された磁気共鳴信号に対してフーリエ変換処理を実施して、被検体ＳＵの画像を生成する。そして、データ処理部３１は、その生成した画像を表示部３３に出力する。
【００２４】
操作部３２は、キーボードやマウスなどの操作デバイスにより構成されている。操作部３２は、オペレータによって操作され、その操作に応じた操作信号をデータ処理部３１に出力する。ここでは、撮影目的に応じた複数のパルスシーケンスでのスキャンをオペレータが選択して入力可能なように操作部３２が構成されている。
【００２５】
表示部３３は、ＣＲＴなどの表示デバイスにより構成されている。表示部３３は、被検体ＳＵからの磁気共鳴信号に基づいて生成される被検体ＳＵのスライスについての画像を表示する。
【００２６】
以下より、ＲＦコイル部１４のＲＦ受信コイル部１４ｂについて、詳細に説明する。
【００２７】
図２は、ＲＦ受信コイル部１４ｂを示す図である。図２において、図２（ａ）は、ＲＦ受信コイル部１４ｂを示す正面図であり、図２（ｂ）は、ＲＦ受信コイル部１４ｂの第１カップ４０１ａの部分を拡大して示す斜視図である。
【００２８】
図２に示すように、ＲＦ受信コイル部１４ｂは、ブラジャー１４１と受信コイル２４１とを有する。各部について順次説明する。
【００２９】
まず、ブラジャー１４１について説明する。
【００３０】
ブラジャー１４１は、図２（ａ）に示すように、第１カップ４０１ａと、第２カップ４０１ｂと、カップ固定部４０２とを含み、人体である被検体ＳＵの乳房Ｂを包んで形を整える。
【００３１】
ブラジャー１４１の第１カップ４０１ａと第２カップ４０１ｂとのそれぞれは、共に同様な形状で形成されている。本実施形態においては、第１カップ４０１ａと第２カップ４０１ｂとのそれぞれは、図２（ｂ）に示すように、半球体形状の空間を有するように形成されており、その半球体形状の空間のそれぞれに被検体ＳＵの乳房を収容する。ここでは、第１カップ４０１ａが被検体ＳＵの右側の乳房を収容し、第２カップ４０１ｂが被検体ＳＵの左側の乳房を収容する。
【００３２】
図２（ｂ）に示すように、第１カップ４０１ａと第２カップ４０１ｂとのそれぞれは、第１カバー部材４１２と、カバー連結部材４１３と、第２カバー部材４１４とを含む。
【００３３】
第１カバー部材４１２は、たとえば、ナイロン繊維とウレタン繊維とが編み込まれた布地で半球体形状になるように形成され、被検体ＳＵの乳房のトップ側Ｔを覆うように設けられる。そして、第１カバー部材４１２は、カバー連結部材４１３に縫合されている。また、第１カバー部材４１２には、図２（ｂ）に示すように、被検体ＳＵの乳房Ｂのトップ側Ｔをカバーするように、トップ側Ｔに、受信コイル２４１におけるサドル型コイル２４１ａが設けられる。
【００３４】
カバー連結部材４１３は、図２（ｂ）に示すように、第１カバー部材４１２と第２カバー部材４１４とに挟まれるように設けられている。カバー連結部材４１３は、第１カバー部材４１２と第２カバー部材４１４とのそれぞれに縫合されており、第１カバー部材４１２と第２カバー部材４１４とを連結している。そして、カバー連結部材４１３は、たとえば、プラスチック材料にてリング形状の蛇腹機構として形成されており、被検体ＳＵの乳房のトップ側Ｔとアンダー側Ｕとの間において複数の異なる長さに固定可能なような伸縮する。
【００３５】
図３は、第１カップ４０１ａを示す断面図である。図３において、図３（ａ）は第１カップ４０１ａにおいてカバー連結部材４１３の蛇腹機構が縮んだ状態を示しており、図３（ｂ）は第１カップ４０１ａにおいてカバー連結部材４１３の蛇腹機構が伸びた状態を示している。
【００３６】
図３（ａ）に示すように、被検体ＳＵの乳房Ｂが小さい容積の場合には、カバー連結部材４１３は、蛇腹機構を縮んだ状態にして使用される。そして、図３（ｂ）に示すように、被検体ＳＵの乳房Ｂが大きな容積の場合には、カバー連結部材４１３は、蛇腹機構を伸びた状態にして使用される。
【００３７】
第２カバー部材４１４は、たとえば、ナイロン繊維とウレタン繊維とが編み込まれた布地でリング形状に形成されており、被検体ＳＵの乳房のアンダー側Ｔを覆うように設けられる。そして、第２カバー部材４１４は、カバー連結部材４１３に縫合されている。また、第２カバー部材４１４には、図２（ｂ）に示すように、被検体ＳＵの乳房におけるアンダー側Ｕの周囲を囲うように、アンダー側Ｕにループ型コイル２４１ｂが設けられている。
【００３８】
ブラジャー１４１のカップ固定部４０２は、第１カップ４０１ａと第２カップ４０１ｂとを被検体ＳＵに固定するために設けられている。
【００３９】
カップ固定部４０２は、図２に示すように、胴ベルト４２１と、第１肩ベルト４２２ａと、第２肩ベルト４２２ｂと、胴ベルト連結部４２３とを有する。
【００４０】
胴ベルト４２１は、たとえば、布地により形成されており、第１カップ４０１ａと第２カップ４０１ｂとのそれぞれが延在方向に並ぶように縫合されて設けられている。そして、胴ベルト４２１は、被検体ＳＵの胴部に巻かれることによって第１カップ４０１ａと第２カップ４０１ｂとを被検体ＳＵに固定する。
【００４１】
第１肩ベルト４２２ａは、たとえば、布地により形成されており、胴ベルト４２１の延在方向に対して略垂直な方向へ延在するように一端部が第１カップ４０１ａに縫合され連結している。そして、第１肩ベルト４２２ａは、第１カップ４０１ａから第２カップ４０１ｂへ向かう方向と逆の方向へ延在する胴ベルト４２１の部分に、他端部が、胴ベルト４２１の延在方向に対して略垂直な方向へ延在するように縫合されて連結している。つまり、第１肩ベルト４２２ａは、ループを描くように、第１カップ４０１ａと胴ベルト４２１に連結しており、被検体ＳＵの肩部に巻かれることによって、第１カップ４０１ａに収容されている乳房Ｂを吊るして被検体ＳＵに固定する。
【００４２】
第２肩ベルト４２２ｂは、たとえば、布地により形成されており、胴ベルト４２１の延在方向に対して略垂直な方向へ延在するように一端部が第２カップ４０１ｂに縫合されて連結している。そして、第２肩ベルト４２２ｂは、第２カップ４０１ｂから第１カップ４０１ａへ向かう方向と逆の方向へ延在する胴ベルト４２１の部分に、他端部が、胴ベルト４２１の延在方向に対して略垂直な方向へ延在するように縫合されて連結している。つまり、第２肩ベルト４２２ｂは、ループを描くように、第２カップ４０１ｂと胴ベルト４２１に連結しており、被検体ＳＵの肩部に巻かれることによって、第２カップ４０１ｂに収容されている乳房Ｂを吊るして被検体ＳＵに固定する。
【００４３】
胴ベルト連結部４２３は、胴ベルト４２１に一端部に縫合されて固定されたフック４２３ａと、胴ベルト４２１に他端部に縫合されて固定されたリング４２３ｂとを含み、フック４２３ａがリング４２３ｂに係留されることにより胴ベルト４２１の両端部を連結する。本実施形態においては、リング４２３ｂが胴ベルト４２１の他端部において複数の位置に設置されており、フック４２３ａが、複数の異なる位置のリング４２３ｂに係留されることにより胴ベルト４２１を複数の異なる長さで固定可能なように形成されている。
【００４４】
受信コイル２４１について説明する。
【００４５】
受信コイル２４１は、静磁場空間１１内の被検体ＳＵの乳房Ｂからの磁気共鳴信号を受信する。本実施形態においては、受信コイル２４１は、図２に示すように、２チャンネルで受信可能なように、サドル型コイル２４１ａと、ループ型コイル２４１ｂとを有する。
【００４６】
ここでは、サドル型コイル２４１ａは、被検体ＳＵの乳房Ｂのトップ側Ｔをカバーするように、第１カップ４０１ａと第２カップ４０１ｂとのそれぞれのトップ側Ｔに設けられている。具体的には、図２（ｂ）に示すように、サドル型コイル２４１ａは、第１カップ４０１ａと第２カップ４０１ｂとのそれぞれの第１カバー部材４１２に設けられている。
【００４７】
一方、ループ型コイル２４１ｂは、被検体ＳＵの乳房におけるアンダー側Ｕの周囲を囲うように、第１カップ４０１ａと第２カップ４０１ｂとのそれぞれのアンダー側Ｕに設けられている。具体的には、図２（ｂ）に示すように、ループ型コイル２４１ｂは、第１カップ４０１ａと第２カップ４０１ｂとのそれぞれの第２カバー部材４１４に設けられている。なお、ループ型コイル２４１ｂは、被検体ＳＵの乳房Ｂの形を保持するために、たとえば、銅線を用いることが好ましい。
【００４８】
そして、サドル型コイル２４１ａと、ループ型コイル２４１ｂとは、幾何学的にデカップリングされており、第１カップ４０１ａと第２カップ４０１ｂとのそれぞれのカバー連結部材４１３が伸縮されることにより、相互インダクタンスによる干渉が殆ど無いように、互いに平行移動する。
【００４９】
以上のように、本実施形態の磁気共鳴イメージング装置１においては、静磁場空間内の被検体ＳＵの乳房からの磁気共鳴信号を受信する受信コイル２４１が、ブラジャー１４１において、被検体ＳＵの乳房を収容する第１カップ４０１ａと第２カップ４０１ｂとのそれぞれに設けられている。このため、乳房Ｂを撮影する際に被検体ＳＵを仰臥位にした場合において、ブラジャー１４１の第１カップ４０１ａと第２カップ４０１ｂとによって被検体ＳＵの乳房Ｂが包まれて形が整えられた状態になり、被検体ＳＵの乳房Ｂからの磁気共鳴信号を受信コイル２４１が受信できる。よって、本実施形態においては、被検体ＳＵが呼吸動作を容易に実施可能になると共に、腕にしびれが発生することを防止可能であるために、長時間の撮影が可能になり、オペレータは撮影の際の作業効率を向上させることができる。また、これにより、撮影時と手術時の体勢とが同じになるために、乳房Ｂの手術時において手術部位を容易に特定することが容易にでき、手術の際の作業効率を向上させることができる。したがって、本実施形態は、乳房を撮影する際に被検体ＳＵを仰臥位にすることが可能であって、作業効率を向上することができる。
【００５０】
また、本実施形態においては、第１カップ４０１ａと第２カップ４０１ｂとのそれぞれは、蛇腹機構を含むカバー連結部材４１３によって、被検体ＳＵの乳房Ｂのトップ側Ｔとアンダー側Ｕとの間において伸縮する。このため、第１カップ４０１ａと第２カップ４０１ｂにおいて被検体ＳＵの乳房Ｂが収容される空間の容積を、カバー連結部材４１３の蛇腹機構を伸縮させることによって、被検体ＳＵの乳房Ｂの容積に合わせて変えることができる。よって、本実施形態は、被検体ＳＵの乳房Ｂの容積に合わせて、第１カップ４０１ａと第２カップ４０１ｂに設けられた受信コイル２４１を、被検体ＳＵの乳房Ｂに近づけることができるために、高い画像品質の画像を得ることができ、乳房Ｂの手術時において手術部位を容易に特定することが容易にできる。したがって、本実施形態は、乳房を撮影する際に被検体ＳＵを仰臥位にすることが可能であって、作業効率を向上することができる。
【００５１】
また、本実施形態においては、カップ固定部４０２の胴ベルト４２１の両端部を連結する胴ベルト連結部材４２３が、胴ベルト４２１を複数の異なる長さで固定可能なように形成されている。このため、本実施形態は、被検体ＳＵの胴部の長さに合わせて、カップ固定部４０２が第１カップ４０１ａと第２カップ４０１ｂとのそれぞれを被検体ＳＵに固定することができる。よって、被検体ＳＵを仰臥位にした場合において、第１カップ４０１ａと第２カップ４０１ｂによって被検体ＳＵの乳房Ｂの形を整えられた状態を維持することが容易にできる。したがって、本実施形態は、乳房を撮影する際に被検体ＳＵを仰臥位にすることが可能であって、作業効率を向上することができる。
【００５２】
なお、上記の実施形態において磁気共鳴イメージング装置１は、本発明の磁気共鳴イメージング装置に相当する。また、上記実施形態の撮影空間Ｂは、本発明の静磁場空間に相当する。また、上記実施形態のＲＦ受信コイル部１４ｂは、本発明のＲＦ受信コイル部、ＲＦ受信コイル装置に相当する。また、上記実施形態のブラジャー１４１は、本発明のブラジャーに相当する。また、上記実施形態の受信コイル２４１は、本発明のコイルに相当する。また、上記実施形態のサドル型コイル２４１ａは、本発明の第１コイルに相当する。また、上記実施形態のループ型コイル２４１ｂは、本発明の第２コイルに相当する。また、上記実施形態の第１カップ４０１ａは、本発明のカップに相当する。また、上記実施形態の第２カップ４０１ｂは、本発明のカップに相当する。また、上記実施形態のカップ固定部４０２は、本発明のカップ固定部に相当する。また、上記実施形態の第１カバー部材４１２は、本発明の第１カバー部材に相当する。また、上記実施形態のカバー連結部材４１３は、本発明のカバー連結部材に相当する。また、上記実施形態の第２カバー部材４１４は、本発明の第２カバー部材に相当する。また、上記実施形態の胴ベルト４２１は、本発明の胴ベルトに相当する。また、上記実施形態の第１肩ベルト４２２ａは、本発明の肩ベルトに相当する。また、上記実施形態の第２肩ベルト４２２ｂは、本発明の肩ベルトに相当する。また、上記実施形態の胴ベルト連結部４２３は、本発明の胴ベルト連結部材に相当する。
【００５３】
また、本発明の実施に際しては、上記した実施形態に限定されるものではなく、種々の変形例を採用することができる。
【００５４】
図４は、変形例において、第１カップ４０１ａを示す断面図である。
【００５５】
図４に示すように、たとえば、カバー連結部材４１３は、マジックテープ（登録商標）のような、フック部４１３ａとループ部４１３ｂとを一対とした面ファスナーを用いても良い。そして、図４において、図４（ａ）に示すように、被検体ＳＵの乳房Ｂが小さい容積の場合には、第１カバー部材４１２と第２カバー部材４１４との間の距離が短くなるように、面ファスナーのループ部４１３ｂをフック部４１３ａに係止する。そして、図４（ｂ）に示すように、被検体ＳＵの乳房Ｂが大きな容積の場合には、第１カバー部材４１２と第２カバー部材４１４との間の距離が長くなるように、面ファスナーのループ部４１３ｂをフック部４１３ａに係止する。
【００５６】
また、その他に、たとえば、胴ベルト連結部４２３を、いわゆるフロントフック型になるように設けても良い。つまり、胴ベルト連結部４２３のフック４２３ａとリング４２３ｂとを、第１カップ４０１ａと第２カップ４０１ｂとの間の胴ベルト４２１に設けて、被検体ＳＵの胸側においてフック４２３ａとリング４２３ｂとの係止動作を可能とし、被検体ＳＵの胸側においてブラジャー１４１を着脱可能にしてもよい。そして、この部分において、上記実施形態と同様にして、胴ベルト４２１を複数の異なる長さを調整可能なように形成してもよい。
【図面の簡単な説明】
【００５７】
【図１】図１は、本発明にかかる実施形態において、磁気共鳴イメージング装置１の構成を示す図である。
【図２】図２は、本発明にかかる実施形態において、ＲＦ受信コイル部１４ｂを示す図である。図２において、図２（ａ）は、ＲＦ受信コイル部１４ｂを示す正面図であり、図２（ｂ）は、ＲＦ受信コイル部１４ｂの第１カップ４０１ａの部分を拡大して示す斜視図である。
【図３】図３は、本発明にかかる実施形態において、第１カップ４０１ａを示す断面図である。図３において、図３（ａ）は第１カップ４０１ａにおいてカバー連結部材４１３の蛇腹機構が縮んだ状態を示しており、図３（ｂ）は第１カップ４０１ａにおいてカバー連結部材４１３の蛇腹機構が伸びた状態を示している。
【図４】図４は、本発明にかかる変形例において、第１カップ４０１ａを示す断面図である。
【符号の説明】
【００５８】
１：磁気共鳴イメージング装置（磁気共鳴イメージング装置）
１２：静磁場マグネット部、
１３：勾配コイル部、
１４：ＲＦコイル部、
１４ａ：ＲＦ送信コイル部、
１４ｂ：ＲＦ受信コイル部（ＲＦ受信コイル部、ＲＦ受信コイル装置）、
２２：ＲＦ駆動部、
２３：勾配駆動部、
２４：データ収集部、
２５：制御部、
２６：クレードル、
３１：データ処理部、
３２：操作部、
３３：表示部、
１４１：ブラジャー（ブラジャー）、
２４１：受信コイル（コイル）、
２４１ａ：サドル型コイル（第１コイル）、
２４１ｂ：ループ型コイル（第２コイル）、
４０１ａ：第１カップ（カップ）、
４０１ｂ：第２カップ（カップ）、
４０２：カップ固定部（カップ固定部）、
４１２：第１カバー部材（第１カバー部材）、
４１３：カバー連結部材（カバー連結部材）、
４１４：第２カバー部材（第２カバー部材）、
４２１：胴ベルト（胴ベルト）、
４２２ａ：第１肩ベルト（肩ベルト）、
４２２ｂ：第２肩ベルト（肩ベルト）、
４２３：胴ベルト連結部（胴ベルト連結部材）、
４２３ａ：フック
４２３ｂ：リング
Ｂ：撮影空間（静磁場空間）、
【図１】
2006325972.tif 000003
【図２】
2006325972.tif 000004
【図３】
2006325972.tif 000005
【図４】
2006325972.tif 000006
【手続補正書】
【提出日】平成17年9月16日(2005.9.16)
【手続補正１】
【補正対象書類名】図面
【補正対象項目名】図２
【補正方法】変更
【補正の内容】
【図２】
2006325972.tif 000007